(57)【要約】      （修正有）【課題】折曲板及び固定板の２種類の板部材のみで組立てることができるとともに、不使用時に分解して狭い隙間等に収納できる組立式家具を提供する。【解決手段】第１板状体を略チャンネル状に折曲げて、単一のベース部１３ａと一対の脚部１３ｂとをそれぞれ有する複数の折曲板１３が形成される。第２板状体１２により形成された平板状の複数の固定板１４が、複数の折曲板を並べた状態で複数の折曲板の脚部に間隔をあけて直交するように係合して複数の折曲板を固定する。脚部に固定板係合用スリット１３ｃが形成され、固定板に脚部係合用幅狭スリット１４ａ及び脚部係合用幅広スリット１４ｂがそれぞれ形成される。脚部係合用幅狭スリット及び脚部係合用幅広スリットを固定板係合用スリットにそれぞれ係合し、複数の折曲板の脚部と複数の固定板とを格子状に組立てることにより、ベッドが形成される。【選択図】図１
0003229918.tif 000002
【実用新案登録請求の範囲】
【請求項１】
第１板状体を略チャンネル状に折曲げることにより形成され、単一のベース部とこのベース部の両側縁に接続された一対の脚部とをそれぞれ有する同形同大の複数の折曲板と、
第２板状体により同形同大に形成されかつ前記複数の折曲板を前記ベース部が同一平面上に位置するように並べた状態で前記複数の折曲板の脚部に間隔をあけてそれぞれ直交するように係合して前記複数の折曲板を固定する平板状の複数の固定板と
を備え、
前記脚部に、その端縁から前記ベース部に向って固定板係合用スリットがそれぞれ形成され、
前記固定板の両端近傍に、その一端縁から他端縁に向って脚部係合用幅狭スリットがそれぞれ形成され、
前記固定板のうち前記脚部係合用幅狭スリットの間に、その一端縁から他端縁に向って前記脚部係合用幅狭スリットより幅の広い脚部係合用幅広スリットがそれぞれ形成され、
前記脚部係合用幅狭スリット及び前記脚部係合用幅広スリットを前記固定板係合用スリットにそれぞれ係合し、前記複数の折曲板の脚部と前記複数の固定板とを格子状に組立てることにより、ベッド、椅子又は物品棚が形成される
ことを特徴とする組立式家具。
【請求項２】
第１板状体を略チャンネル状に折曲げることより形成され、単一のベース部とこのベース部の両側縁に接続された一対の脚部とを有する単一の折曲板と、
第２板状体により同形同大に形成されかつ前記一対の脚部に間隔をあけてそれぞれ直交するように係合して前記単一の折曲板を固定する平板状の一対の固定板と
を備え、
前記脚部にその端縁から前記ベース部に向って固定板係合用スリットがそれぞれ形成され、
前記固定板にその一端縁から他端縁に向って脚部係合用スリットがそれぞれ形成され、
前記脚部係合用スリットを前記固定板係合用スリットにそれぞれ係合し、前記単一の折曲板の一対の脚部と前記一対の固定板とを格子状に組立てることにより、ヘッドボード又は物品棚が形成される
ことを特徴とする組立式家具。
【請求項３】
前記第１板状体が発泡体により形成され、前記第１板状体の両面のいずれか一方又は双方の面全体にシート状表面材が接着され、前記第１板状体を、前記一方の面全体に接着されたシート状表面材を残して角度９０度の一対のＶ字状溝で前記単一のベース部と前記一対の脚部とに区画し前記一対のＶ字状溝で折曲げることにより、前記折曲板が形成された請求項１又は２記載の組立式家具。
【請求項４】
前記第１板状体が、一対のライナとこれらのライナの間に立設された複数のリブとを有するプラスチック段ボールにより形成され、前記第１板状体を、一対のライナのうち一方のライナを残して角度９０度の一対のＶ字状溝で前記単一のベース部と前記一対の脚部とに区画し前記一対のＶ字状溝で折曲げることにより、前記折曲板が形成された請求項１又は２記載の組立式家具。
【考案の詳細な説明】
【技術分野】
【０００１】
本考案は、略チャンネル状の折曲板を平板状の固定板で固定することにより形成されるベッド、ヘッドボード、椅子、物品棚等の組立式家具に関するものである。
【背景技術】
【０００２】
従来、第１素形シート板をその横断面が閉断面状となるように折り目を介して折曲げて開放可能に組立てて形成されその上端部に取付縁が形成された少なくとも１つの脚部と、第２素形シート板の両縁部を折り目を介して折返して取付片が形成されこの取付片が脚部の両側面に着脱可能に取付けられて脚部の取付縁に支持される荷重受面部材とを備えた組立式家具が開示されている（例えば、特許文献１（請求項１及び２、段落［００１０］、段落［００１１］、図１〜図４）参照。）。この組立式家具では、脚部は、第１素形シート板を折り目を介してその横断面が閉断面状になるように折曲げ、その重なり部分を着脱可能なクリップで連結して形成される。また、脚部の上端部取付縁の側面形状は、椅子の座面及び背もたれ面、テーブル面又はベッド面の側面形状になっている。一方、荷重受面部材は第１及び第２受面構成部材を同一方向に並列配置して構成される。また、両側の第１受面構成部材は第２素形シート板を複数に分割した略四角形状の素形シート板を折り目を介して略同一の縦断面形状に折曲げて形成されるとともに、中間の第２受面構成部材は第２素形シート板を複数に分割した略四角形状の素形シート板を折り目を介して略同一の縦断面略コ字状に折曲げて形成される。更に、第１及び第２受面構成部材は、シート板端部の取付スリットの差込みによって脚部の取付縁に着脱可能に取付けられる。
【０００３】
このように構成された組立式家具では、脚部及び荷重受面部材が分解可能に組立てられ、しかも脚部及び荷重受面部材がともにシート板を折曲げて構成されるので、家具の分解及び組立てが非常に簡単で、子供であっても容易に組立て・分解でき、また木材や金属材を使用する場合に比べて軽量で軽く持ち運びできる。その結果、家具を分解してピクニック等に容易に携帯でき、屋外で簡単に組立てることができる。また、幼児や子供が家具に衝突しても家具が軽く動いてその衝撃を緩和するので、怪我をすることがなく、安全である。
【先行技術文献】
【特許文献】
【０００４】
【特許文献１】特開平６−３１１９１８号公報
【考案の概要】
【考案が解決しようとする課題】
【０００５】
しかし、上記特許文献１に示された組立式家具では、第１素形シート板を折り目を介してその横断面が閉断面状になるように折曲げ、その重なり部分を着脱可能なクリップで連結することにより、脚部を組立てているため、脚部の組立作業に比較的多くの時間を要するとともに、第１素系シート板等のシート板以外に小物で紛失し易いクリップを必要とする不具合があった。また、上記特許文献１に示された組立式家具では、脚部及びクリップの他に、椅子の座面及び背もたれ面、テーブル面又はベッド面を構成する受面構成部材として、両側に配置される第１受面構成部材と、中央に配置される単一又は複数の第２受面構成部材という形状の異なる２種類の受面構成部材を必要とするため、部品の種類が増大し、部品管理が煩雑になるとともに、組立手順が煩わしくなる問題点もあった。
【０００６】
本考案の第１の目的は、折曲板及び固定板の２種類の板部材のみで組立てることができるとともに、不使用時に分解して狭い隙間等に収納できる、組立式家具を提供することにある。本考案の第２の目的は、固定板のみを予め組立てる必要がなく、組立工数を低減できるとともに、紛失し易いクリップ等の小物を必要とせず、部品管理を容易に行うことができる、組立式家具を提供することにある。本考案の第３の目的は、ベース部の上に物を載せても、固定板がベース板を受けることにより、ベース板の変形を抑制できる、組立式家具を提供することにある。本考案の第４の目的は、極めて簡単な作業で第１板状体から略チャンネル状の折曲板を形成できる、組立式家具を提供することにある。
【課題を解決するための手段】
【０００７】
本考案の第１の観点は、図１〜図４に示すように、第１板状体１１を略チャンネル状に折曲げることにより形成され、単一のベース部１３ａとこのベース部１３ａの両側縁に接続された一対の脚部１３ｂ，１３ｂとをそれぞれ有する同形同大の複数の折曲板１３と、第２板状体１２により同形同大に形成されかつ複数の折曲板１３をベース部１３ａが同一平面上に位置するように並べた状態で複数の折曲板１３の脚部１３ｂに間隔をあけてそれぞれ直交するように係合して複数の折曲板１３を固定する平板状の複数の固定板１４とを備え、脚部１３ｂに、その端縁からベース部１３ａに向って固定板係合用スリット１３ｃがそれぞれ形成され、固定板１４の両端近傍に、その一端縁から他端縁に向って脚部係合用幅狭スリット１４ａ，１４ａがそれぞれ形成され、固定板１４のうち脚部係合用幅狭スリット１４ａ，１４ａの間に、その一端縁から他端縁に向って脚部係合用幅狭スリット１４ａより幅の広い脚部係合用幅広スリット１４ｂがそれぞれ形成され、脚部係合用幅狭スリット１４ａ及び脚部係合用幅広スリット１４ｂを固定板係合用スリット１３ｃにそれぞれ係合し、複数の折曲板１３の脚部１３ｂと複数の固定板１４とを格子状に組立てることにより、ベッド１０、椅子又は物品棚が形成されることを特徴とする。
【０００８】
本考案の第２の観点は、図６及び図７に示すように、第１板状体３１を略チャンネル状に折曲げることより形成され、単一のベース部３３ａとこのベース部３３ａの両側縁に接続された一対の脚部３３ｂ，３３ｂとを有する単一の折曲板３３と、第２板状体３２により同形同大に形成されかつ一対の脚部３３ｂ，３３ｂに間隔をあけてそれぞれ直交するように係合して単一の折曲板３３を固定する平板状の一対の固定板３４，３４とを備え、脚部３３ｂにその端縁からベース部３３ａに向って固定板係合用スリット３３ｃがそれぞれ形成され、固定板３４にその一端縁から他端縁に向って脚部係合用スリット３４ａがそれぞれ形成され、脚部係合用スリット３４ａを固定板係合用スリット３３ｃにそれぞれ係合し、単一の折曲板３３の一対の脚部３３ｂ，３３ｂと一対の固定板３４，３４とを格子状に組立てることにより、ヘッドボード３０又は物品棚が形成されることを特徴とする。
【０００９】
本考案の第３の観点は、第１又は第２の観点に基づく考案であって、更に図１〜図４に示すように、第１板状体１１が発泡体により形成され、第１板状体１１の両面のいずれか一方又は双方の面全体にシート状表面材１１ａ，１１ｂが接着され、第１板状体１１を、一方の面全体に接着されたシート状表面材１１ａを残して角度９０度の一対のＶ字状溝１１ｃ，１１ｃで単一のベース部１３ａと一対の脚部１３ｂ，１３ｂとに区画し一対のＶ字状溝１１ｃ，１１ｃで折曲げることにより、折曲板１３が形成されたことを特徴とする。
【００１０】
本考案の第４の観点は、第１又は第２の観点に基づく考案であって、更に第１板状体が、一対のライナとこれらのライナの間に立設された複数のリブとを有するプラスチック段ボールにより形成され、第１板状体を、一対のライナのうち一方のライナを残して角度９０度の一対のＶ字状溝で単一のベース部と一対の脚部とに区画し一対のＶ字状溝で折曲げることにより、折曲板が形成されたことを特徴とする。
【考案の効果】
【００１１】
本考案の第１の観点の組立式家具では、脚部係合用幅狭スリット及び脚部係合用幅広スリットを固定板係合用スリットにそれぞれ係合し、複数の折曲板の脚部と複数の固定板とを格子状に組立てることにより、ベッド、椅子又は物品棚を形成する。この結果、脚部、この脚部の重なり部分を連結するクリップ、第１受面構成部材及び第２受面構成部材の４種類の部材を必要とするため、部品管理が煩雑になり、組立手順が煩わしく、組立工数が増大する従来の組立式家具と比較して、本考案の組立式家具では、略チャンネル状の複数の折曲板と平板状の複数の固定板の２種類の板部材のみでベッド、椅子又は物品棚を組立てることができるので、部品管理が容易になるとともに、組立手順が極めて簡単であり、組立工数を低減できる。また、上記ベッド、椅子又は物品棚の不使用時に、折曲板と固定板を分解して折曲板を平板状にすることにより、狭い隙間等に収納できる。
【００１２】
本考案の第２の観点の組立式家具では、脚部係合用スリットを固定板係合用スリットにそれぞれ係合し、単一の折曲板の一対の脚部と一対の固定板とを格子状に組立てることにより、ヘッドボード又は物品棚を形成する。この結果、脚部、この脚部の重なり部分を連結するクリップ、第１受面構成部材及び第２受面構成部材の４種類の部材を必要とするため、部品管理が煩雑になり、組立手順が煩わしく、組立工数が増大する従来の組立式家具と比較して、本考案の組立式家具では、略チャンネル状の単一の折曲板と平板状の一対の固定板の２種類の板部材のみでヘッドボード又は物品棚を組立てることができるので、部品管理が容易になるとともに、組立手順が極めて簡単であり、組立工数を低減できる。また、上記ヘッドボード又は物品棚の不使用時に、折曲板と固定板を分解して折曲板を平板状にすることにより、狭い隙間等に収納できる。
【００１３】
本考案の第３の観点の組立式家具では、第１板状体を発泡体により形成し、第１板状体の両面のいずれか一方又は双方の面全体にシート状表面材を接着し、第１板状体を、一方の面全体に接着されたシート状表面材を残して角度９０度の一対のＶ字状溝で単一のベース部と一対の脚部とに区画し一対のＶ字状溝で折曲げることにより、折曲板を形成したので、極めて簡単な作業で第１板状体から略チャンネル状の折曲板を形成できる。
【００１４】
本考案の第４の観点の組立式家具では、第１板状体を、一対のライナとこれらのライナの間に立設された複数のリブとを有するプラスチック段ボールにより形成し、第１板状体を、一対のライナのうち一方のライナを残して角度９０度の一対のＶ字状溝で単一のベース部と一対の脚部とに区画し一対のＶ字状溝で折曲げることにより、折曲板を形成したので、極めて簡単な作業で第１板状体から略チャンネル状の折曲板を形成できる。
【図面の簡単な説明】
【００１５】
【図１】本考案第１実施形態の組立式家具であるベッドの複数の折曲板と複数の固定板とを組立てる直前の状態を示す斜視図である。
【図２】組立てたベッドの斜視図である。
【図３】そのベッドの折曲板の展開図である。
【図４】図３のＡ−Ａ線断面図である。
【図５】そのベッドを物品棚として使用している状態を示す斜視図である。
【図６】本考案第２実施形態の組立式家具であるヘッドボードの組立手順を示す斜視図である。
【図７】そのヘッドボードの折曲板の展開図である。
【図８】本考案第３実施形態の組立式家具である椅子の斜視図である。
【考案を実施するための形態】
【００１６】
次に本考案を実施するための形態を図面に基づいて説明する。
【００１７】
＜第１の実施の形態＞
図１及び図２に示すように、この実施の形態では、組立式家具はベッド１０である。このベッド１０は、第１板状体１１を略チャンネル状に折曲げて形成された複数の折曲板１３と、第２板状体１２により同形同大に形成された平板状の複数の固定板１４とを備える（図１及び図２）。第１板状体１１は、双方の面全体にシート状表面材３１ａ，３１ｂが接着された発泡体により形成されることが好ましい。また、第２板状体１２も、第１板状体１１と同様に、双方の面全体にシート状表面材（図示せず）が接着された発泡体により形成されることが好ましい。これらの発泡体の厚さは、３ｍｍ〜７ｍｍ程度であることが好ましい。また、発泡体としては、熱可塑性樹脂を主成分とする基材を化学的或いは物理的方法により発泡させたものであれば特に制限なく使用できる。具体的には、ポリプロピレン、ポリエチレン、エチレン−酢酸ビニル共重合体、又はこれらを適宜に２種以上混合して成るポリオレフィン系樹脂、ポリエステル樹脂、ポリ塩化ビニル、ＡＢＳ、ポリスチレン、ポリアクリルニトリル、ポリウレタン、メラミン樹脂、フェノール樹脂等が適しているが、目的とする積層板の軽量性、表面平滑性、環境性の観点から、特にポリオレフィン系樹脂が好ましい。更に、シート状表面材としては、価格が安価であり、生産性、接着性の点から紙材が好ましい。紙材としては、更紙、アート紙、コート紙、化学繊維紙、合成紙、樹脂含浸紙の他に片面又は両面にポリエチレン等がラミネート加工されている合成樹脂加工紙等が挙げられる。
【００１８】
第１板状体１１を、一方の面全体に接着されたシート状表面材を残して角度９０度の一対のＶ字状溝１１ｃで単一のベース部１３ａと一対の脚部１３ｂ，１３ｂとに区画し一対のＶ字状溝１３ｃで９０度に折曲げることにより、折曲板１３が形成される（図１〜図４）。即ち、折曲板１３は、単一のベース部１３ａと、このベース部１３ａの両側縁に接続された一対の脚部１３ｂ，１３ｂとを有する。なお、第１板状体１１を一対のＶ字状溝１３ｃで折曲げるという極めて簡単な作業で第１板状体１１から略チャンネル状の折曲板１３を形成できる。また、複数の固定板１４は、複数の折曲板１３のベース部１３ａが一平面上に位置するように並べた状態で、複数の折曲板１３の脚部１３ｂに間隔をあけてそれぞれ直交するように係合して複数の折曲板１３を固定するように構成される（図１〜図３）。更に、脚部１３ｂに、その端縁からベース部１３ａに向って固定板係合用スリット１３ｃがそれぞれ形成され、固定板１４の両端近傍に、その一端縁から他端縁に向って脚部係合用幅狭スリット１４ａ，１４ａがそれぞれ形成され、固定板１４のうち脚部係合用幅狭スリット１４ａ，１４ａの間に、その一端縁から他端縁に向って脚部係合用幅狭スリット１４ａより幅の広い脚部係合用幅広スリット１４ｂがそれぞれ形成される（図１及び図３）。
【００１９】
この実施の形態では、５枚の第１板状体１１を用いて５枚の折曲板１３が形成され、５枚の第２板状体１２を用いて５枚の固定板１４が形成される（図１及び図２）。具体的には、１枚の折曲板１３の一対の脚部１３ｂ，１３ｂのうち一方の脚部１３ｂには、その長手方向に間隔をあけかつその脚部１３ｂの端縁（下縁）からベース部１３ａに向ってその脚部１３ｂの上方に延びる５本の固定板係合用スリット１３ｃがそれぞれ形成され、他方の脚部１３ｂには、一方の脚部１３ｂに形成された５本の固定板係合用スリット１３ｃに対向しかつその脚部１３ｂの端縁（下縁）からベース部１３ａに向ってその脚部１３ｂの高さ方向に延びる５本の固定板係合用スリット１３ｃがそれぞれ形成される（図１〜図３）。即ち、１枚の折曲板の一対の脚部には合計１０本の固定板係合用スリット１３ｃが形成されるので、５枚の折曲板１３には合計５０本の固定板係合用スリット１３ｃが形成される。また、固定板係合用スリット１３ｃの長さは、脚部１３ｂの高さの約１／２に設定され、固定板係合用スリット１３ｃの幅は固定板１４の厚さより僅かに広く形成される。
【００２０】
１枚の固定板１４には、その幅方向に間隔をあけかつその固定板１４の一端縁（上端縁）から他端縁（下端縁）に向って下方に延びる２本の脚部係合用幅狭スリット１４ａ，１４ａと４本の脚部係合用幅広スリット１４ｂとが形成される（図１）。ここで、５枚の折曲板１３をベース部１３ａが一平面上に位置するように並べると、一対の脚部１３ｂ，１３ｂが５組、合計１０枚の脚部１３ｂが平行に並び、これらの脚部１３ｂのうち両端に位置する２枚の脚部１３ｂ，１３ｂは、他の脚部１３ｂに接することなく単独で位置し、残りの８枚の脚部１３ｂは、隣り合う折曲板１３，１３の脚部１３ｂ，１３ｂ同士が接しているため、２枚ずつ接して位置する（２枚１組、合計４組）（図１〜図３）。このため、１０枚の脚部１３ｂのうち両端に位置する脚部１３ｂ，１３ｂの厚さは第２板状体１２の厚さと同一であるけれども、残りの２枚１組、合計４組の脚部１３ｂの厚さは第２板状体１２の厚さの２倍になる。そして、６枚の折曲板１３をベース部１３ａが一平面上に位置するように並べた状態で、固定板１４を脚部１３ｂに直交させたときに、２本の脚部係合用幅狭スリット１４ａ，１４ａは１０枚の脚部１３ｂのうち両端に位置する２枚の脚部１３ｂ，１３ｂに対向して形成され、残りの４本の脚部係合用幅広スリット１４ｂは残りの２枚１組、合計４組の脚部１３ｂに対向して形成される。また、２本の脚部係合用幅狭スリット１４ａ，１４ａの長さは、固定板１４の高さの約１／２に設定され、２本の脚部係合用幅狭スリット１４ａ，１４ａの幅は脚部１３ｂの厚さより僅かに広く形成される。更に、４本の脚部係合用幅広スリット１４ｂの長さは、固定板１４の高さの約１／２に設定され、４本の脚部係合用幅広スリット１４ｂの幅は脚部１３ｂの厚さの２倍より僅かに広く形成される。
【００２１】
そして、幅の狭い１０本の脚部係合用幅狭スリット１４ａを１０本の固定板係合用スリット１３ｃにそれぞれ係合し、かつ幅の広い２０本の脚部係合用幅広スリット１４ｂを２０組（２本１組、合計４０本）の固定板係合用スリット１３ｃにそれぞれ係合し、５枚の折曲板１３の脚部１３ｂと５枚の固定板１４とを格子状に組立てることにより、ベッド１０が形成される（図２）。また、幅の狭い１０本の脚部係合用幅狭スリット１４ａを１０本の固定板係合用スリット１３ｃにそれぞれ係合し、かつ幅の広い２０本の脚部係合用幅広スリット１４ｂを２０組（２本１組、合計４０本）の固定板係合用スリット１３ｃにそれぞれ係合したときに、５枚の固定板１４の一端面（上端面）が５枚の折曲板１３のベース部１３ａの内面に当接するように構成される。このとき、固定板１４の高さと脚部１３ｂのベース部１３ａ内面までの高さとを同一になるように設定することにより、５枚の固定板１４の他端面（下端面）は５枚の折曲板１３の脚部１３ｂの端面（下端面）に一致するように構成される。
【００２２】
このように構成されたベッド１０では、幅の狭い１０本の脚部係合用幅狭スリット１４ａを１０本の固定板係合用スリット１３ｃにそれぞれ係合し、かつ幅の広い２０本の脚部係合用幅広スリット１４ｂを２０組（２本１組、合計４０本）の固定板係合用スリット１３ｃにそれぞれ係合し、複数の折曲板１３の脚部１３ｂと複数の固定板１４とを格子状に組立てることにより、ベッド１０を形成する。この結果、脚部、この脚部の重なり部分を連結するクリップ、第１受面構成部材及び第２受面構成部材の４種類の部材を必要とするため、部品管理が煩雑になり、組立手順が煩わしく、組立工数が増大する従来の組立式家具と比較して、本実施の形態のベッド１０では、略チャンネル状の５枚の折曲板１３と平板状の５枚の固定板１４の２種類の板部材のみでベッド１０を組立てることができるので、部品管理が容易になるとともに、組立手順が極めて簡単であり、組立工数を低減できる。また、幅の狭い１０本の脚部係合用幅狭スリット１４ａを１０本の固定板係合用スリット１３ｃにそれぞれ係合し、かつ幅の広い２０本の脚部係合用幅広スリット１４ｂを２０組（２本１組、合計４０本）の固定板係合用スリット１３ｃにそれぞれ係合したときに、５枚の固定板１４の一端面が５枚のベース部１３ａの内面にそれぞれ当接するので、５枚の折曲板１３のベース部１３ａの上で寝ても、５枚の固定板１４がベース板１３ａを受けることにより、ベース板１３ａの変形を抑制でき、堅牢な家具となる。なお、上記ベッド１０を図５のように立てて置くことにより、物品棚として使用できる。また、上記ベッド１０が不要であるときには、折曲板１３と固定板１４を分解して折曲板１３を平板状にすることにより、狭い隙間等に収納できる。
【００２３】
＜第２の実施の形態＞
図６及び図７は本考案の第２の実施の形態を示す。この実施の形態では、組立式家具は、ベッド１０の枕元に設置されるヘッドボード３０である。ヘッドボード３０は、第１板状体３１を略チャンネル状に折曲げて形成された単一の折曲板３３と、第２板状体３２により同形同大に形成された平板状の一対の固定板３４とを備える。第１板状体３１は、第１の実施の形態の第１板状体と同様に、双方の面全体にシート状表面材（図示せず）が接着された発泡体により形成されることが好ましい。また、第２板状体３２も、第１板状体３１と同様に、双方の面全体にシート状表面材（図示せず）が接着された発泡体により形成されることが好ましい。これらの発泡体の厚さは、３ｍｍ〜７ｍｍ程度であることが好ましい。また、発泡体及びシート状表面材としては、第１の実施の形態の発泡体及びシート状表面材と同じものを挙げることができる。
【００２４】
第１板状体３１を、第１の実施の形態の第１板状体と同様に、一方の面全体に接着されたシート状表面材３１ａを残して角度９０度の一対のＶ字状溝（図示せず）で単一のベース部３３ａと一対の脚部３３ｂ，３３ｂとに区画し一対のＶ字状溝で９０度に折曲げることにより、折曲板３３が形成される（図６及び図７）。即ち、折曲板３３は、単一のベース部３３ａと、このベース部３３ａの両側縁に接続された一対の脚部３３ｂ，３３ｂとを有する。なお、第１板状体３１を一対のＶ字状溝で折曲げるという極めて簡単な作業で第１板状体３１から略チャンネル状の折曲板３３を形成できる。また、一対の固定板３４，３４は、一対の脚部３３ｂ，３３ｂに間隔をあけてそれぞれ直交するように係合して単一の折曲板３３を固定するように構成される（図６）。更に、脚部３３ｂにその端縁からベース部３３ａに向って固定板係合用スリット３３ｃがそれぞれ形成され、固定板３４にその一端縁から他端縁に向って脚部係合用スリット３４ａがそれぞれ形成される（図６及び図７）。
【００２５】
具体的には、一対の脚部３３ｂ，３３ｂのうち一方の脚部３３ｂには、その長手方向に間隔をあけかつその脚部３３ｂの端縁（下縁）からベース部３３ａに向ってその脚部３３ｂの上方に延びる２本の固定板係合用スリット３３ｃ，３３ｃがそれぞれ形成され、他方の脚部３３ｂには、一方の脚部３３ｂに形成された２本の固定板係合用スリット３３ｃ，３３ｃに対向しかつその脚部３３ｂの端縁（下縁）からベース部３３ａに向ってその脚部３３ｂの高さ方向に延びる２本の固定板係合用スリット３３ｃ，３３ｃがそれぞれ形成される（図６及び図７）。即ち、一対の脚部３３ｂ，３３ｂには合計４本の固定板係合用スリット３３ｃが形成される。また、固定板係合用スリット３３ｃの長さは、脚部３３ｂの高さの約１／２に設定され、固定板係合用スリット３３ｃの幅は固定板３４の厚さより僅かに広く形成される。
【００２６】
一対の固定板３４，３４のうち一方の固定板３４には、その幅方向に間隔をあけかつその固定板３４の一端縁（上端縁）から他端縁（下端縁）に向って下方に延びる２本の脚部係合用スリット３４ａ，３４ａがそれぞれ形成され、他方の固定板３４には、一方の固定板３４に形成された２本の脚部係合用スリット３４ａ，３４ａと同一の間隔をあけかつその固定板３４の一端縁（上端縁）から他端縁（下端縁）に向って下方に延びる２本の脚部係合用スリット３４ａ，３４ａがそれぞれ形成される（図６）。即ち、一対の固定板３４，３４には合計４本の脚部係合用スリット３４ａが形成される。また、脚部係合用スリット３４ａの長さは、固定板３４の高さの約１／２に設定され、脚部係合用スリット３４ａの幅は脚部３３ｂの厚さより僅かに広く形成される。
【００２７】
そして、４本の脚部係合用スリット３４ａを４本の固定板係合用スリット３３ｃにそれぞれ係合し、単一の折曲板３３の一対の脚部３３ｂ，３３ｂと一対の固定板３４，３４とを格子状に組立てることにより、ヘッドボード３０が形成される（図６）。また、４本の脚部係合用スリット３４ａを４本の固定板係合用スリット３３ｃにそれぞれ係合したときに、一対の固定板３４，３４の一端面（上端面）が単一のベース部３３ａの内面に当接するように構成される。このとき、固定板３４の高さと脚部３３ｂのベース部３３ａ内面までの高さとを同一になるように設定することにより、一対の固定板３４，３４の他端面（下端面）は一対の脚部３３ｂ，３３ｂの端面（下端面）に一致するように構成される。上記以外は第１の実施の形態と同一に構成される。
【００２８】
このように構成されたヘッドボード３０では、４本の脚部係合用スリット３４ａを４本の固定板係合用スリット３３ｃにそれぞれ係合し、単一の折曲板３３の一対の脚部３３ｂ，３３ｂと一対の固定板３４，３４とを格子状に組立てることにより、ヘッドボード３０が形成される。この結果、脚部、この脚部の重なり部分を連結するクリップ、第１受面構成部材及び第２受面構成部材の４種類の部材を必要とするため、部品管理が煩雑になり、組立手順が煩わしく、組立工数が増大する従来の組立式家具と比較して、本実施の形態のヘッドボード３０では、略チャンネル状の単一の折曲板３３と平板状の一対の固定板３４，３４の２種類の板部材のみでヘッドボード３０を組立てることができるので、部品管理が容易になるとともに、組立手順が極めて簡単であり、組立工数を低減できる。また、４本の脚部係合用スリット３４ａを４本の固定板係合用スリット３３ｃにそれぞれ係合したときに、一対の固定板３４，３４の一端面（上端面）が単一のベース部３３ａの内面に当接するので、単一の折曲板３３のベース部３３ａの上に物を載せても、一対の固定板３４，３４がベース板３３ａを受けることにより、ベース板３３ａの変形を抑制でき、堅牢な家具となる。更に、この実施の形態では、図６（ｂ）に示すように、ヘッドボード３０を第１の実施の形態のベッド１０の枕元に設置して、ヘッドボード３０の上に目覚まし時計やティッシュボックスを置くことができる。なお、ヘッドボード３０をベッド１０とは別に設置することにより、物品棚として使用できる。また、上記ヘッドボード３０が不要であるときには、折曲板３３と固定板３４を分解して折曲板３３を平板状にすることにより、狭い隙間等に収納できる。
【００２９】
＜第３の実施の形態＞
図８は本考案の第３の実施の形態を示す。この実施の形態では、組立式家具は椅子５０である。この椅子５０は、第１板状体５１を略チャンネル状に折曲げて形成された複数の折曲板５３と、第２板状体５２により同形同大に形成された平板状の複数の固定板５４とを備える。第１板状体５１は、第１の実施の形態の第１板状体と同様に、双方の面全体にシート状表面材（図示せず）が接着された発泡体により形成されることが好ましい。また、第２板状体５２も、第１板状体５１と同様に、双方の面全体にシート状表面材（図示せず）が接着された発泡体により形成されることが好ましい。これらの発泡体の厚さは、３ｍｍ〜７ｍｍ程度であることが好ましい。また、発泡体及びシート状表面材としては、第１の実施の形態の発泡体及びシート状表面材と同じものを挙げることができる。
【００３０】
第１板状体５１を、第１の実施の形態の第１板状体と同様に、一方の面全体に接着されたシート状表面材を残して角度９０度の一対のＶ字状溝（図示せず）で単一のベース部５３ａと一対の脚部５３ｂ，５３ｂとに区画し一対のＶ字状溝で９０度に折曲げることにより、折曲板５３が形成される。即ち、折曲板５３は、単一のベース部５３ａと、このベース部５３ａの両側縁に接続された一対の脚部５３ｂ，５３ｂとを有する。なお、第１板状体５１を一対のＶ字状溝で折曲げるという極めて簡単な作業で第１板状体５１から略チャンネル状の折曲板５３を形成できる。また、複数の固定板５４は、複数の折曲板５３をベース部５３ａが一平面上に位置するように並べた状態で、複数の折曲板５３の脚部５３ｂに間隔をあけてそれぞれ直交するように係合して複数の折曲板５３を固定するように構成される。更に、脚部５３ｂには、第２の実施の形態の脚部と同様に、その端縁からベース部５３ａに向って固定板係合用スリット（図示せず）がそれぞれ形成され、固定板５４の両端近傍に、その一端縁から他端縁に向って脚部係合用幅狭スリット（図示せず）がそれぞれ形成され、固定板５４のうち脚部係合用幅狭スリットの間に、その一端縁から他端縁に向って脚部係合用幅狭スリットより幅の広い脚部係合用幅広スリット（図示せず）がそれぞれ形成される。
【００３１】
この実施の形態では、３枚の第１板状体５１を用いて３枚の折曲板５３が形成され、４枚の第２板状体５２を用いて４枚の固定板５４が形成される。具体的には、１枚の折曲板５３の一対の脚部５３ｂ，５３ｂのうち一方の脚部５３ｂには、その長手方向に間隔をあけかつその脚部５３ｂの端縁（下縁）からベース部５３ａに向ってその脚部５３ｂの上方に延びる４本の固定板係合用スリットがそれぞれ形成され、他方の脚部５３ｂには、一方の脚部５３ｂに形成された４本の固定板係合用スリットに対向しかつその脚部５３ｂの端縁（下縁）からベース部５３ａに向ってその脚部５３ｂの高さ方向に延びる４本の固定板係合用スリットがそれぞれ形成される。即ち、１枚の折曲板５３の一対の脚部５３ｂ，５３ｂには合計８本の固定板係合用スリットが形成されるので、３枚の折曲板５３には合計２４本の固定板係合用スリットが形成される。また、固定板係合用スリットの長さは、脚部５３ｂの高さの約１／２に設定され、固定板係合用スリットの幅は固定板５４の厚さより僅かに広く形成される。
【００３２】
１枚の固定板５４には、その幅方向に間隔をあけかつその固定板５４の一端縁（上端縁）から他端縁（下端縁）に向って下方に延びる２本の脚部係合用幅狭スリットと２本の脚部係合用幅広スリットとが形成される。ここで、３枚の折曲板５３をベース部５３ａが一平面上に位置するように並べると、一対の脚部５３ｂ，５３ｂが３組、合計６枚の脚部５３ｂが平行に並び、これらの脚部５３ｂのうち両端に位置する２枚の脚部５３ｂ，５３ｂは、他の脚部５３ｂに接することなく単独で位置し、残りの４枚の脚部５３ｂは、隣り合う折曲板５３の脚部５３ｂ同士が接しているため、２枚ずつ接して位置する（２枚１組、合計２組）。このため、６枚の脚部５３ｂのうち両端に位置する脚部５３ｂの厚さは第２板状体５２の厚さと同一であるけれども、残りの２枚１組、合計２組の脚部５３ｂの厚さは第２板状体５２の厚さの２倍になる。そして、３枚の折曲板５３をベース部５３ａが一平面上に位置するように並べた状態で、固定板５４を脚部５３ｂに直交させたときに、２本の脚部係合用幅狭スリットは６枚の脚部５３ｂのうち両端に位置する２枚の脚部５３ｂ，５３ｂに対向して形成され、残りの２本の脚部係合用幅広スリットは残りの２枚１組、合計２組の脚部５３ｂに対向して形成される。また、２本の脚部係合用幅狭スリットの長さは、固定板５４の高さの約１／２に設定され、２本の脚部係合用幅狭スリットの幅は脚部５３ｂの厚さより僅かに広く形成される。更に、２本の脚部係合用幅広スリットの長さは、固定板５４の高さの約１／２に設定され、２本の脚部係合用幅広スリットの幅は脚部５３ｂの厚さの２倍より僅かに広く形成される。
【００３３】
そして、幅の狭い８本の脚部係合用幅狭スリットを８本の固定板係合用スリットにそれぞれ係合し、かつ幅の広い８本の脚部係合用幅広スリットを８組（２本１組、合計１６本）の固定板係合用スリットにそれぞれ係合し、３枚の折曲板５３の脚部５３ｂと４枚の固定板５４とを格子状に組立てることにより、椅子５０が形成される。また、幅の狭い８本の脚部係合用幅狭スリットを８本の固定板係合用スリットにそれぞれ係合し、かつ幅の広い８本の脚部係合用幅広スリットを８組（２本１組、合計１６本）の固定板係合用スリットにそれぞれ係合したときに、４枚の固定板５４の一端面（上端面）が３枚の折曲板５３のベース部５３ａの内面に当接するように構成される。このとき、固定板５４の高さと脚部５３ｂのベース部５３ａ内面までの高さとを同一になるように設定することにより、４枚の固定板５４の他端面（下端面）は３枚の折曲板５３の脚部５３ｂの端面（下端面）に一致するように構成される。上記以外は第１の実施の形態と同一に構成される。
【００３４】
このように構成された椅子５０では、幅の狭い８本の脚部係合用幅狭スリットを８本の固定板係合用スリットにそれぞれ係合し、かつ幅の広い８本の脚部係合用幅広スリットを８組（２本１組、合計１６本）の固定板係合用スリットにそれぞれ係合し、複数の折曲板５３の脚部５３ｂと複数の固定板５４とを格子状に組立てることにより、椅子５０を形成する。この結果、脚部、この脚部の重なり部分を連結するクリップ、第１受面構成部材及び第２受面構成部材の４種類の部材を必要とするため、部品管理が煩雑になり、組立手順が煩わしく、組立工数が増大する従来の組立式家具と比較して、本実施の形態の椅子５０では、略チャンネル状の３枚の折曲板５３と平板状の４枚の固定板５４の２種類の板部材のみで椅子５０を組立てることができるので、部品管理が容易になるとともに、組立手順が極めて簡単であり、組立工数を低減できる。また、幅の狭い８本の脚部係合用幅狭スリットを８本の固定板係合用スリットにそれぞれ係合し、かつ幅の広い８本の脚部係合用幅広スリットを８組（２本１組、合計１６本）の固定板係合用スリットにそれぞれ係合したときに、４枚の固定板５４の一端面が３枚のベース部５３ａの内面にそれぞれ当接するので、３枚の折曲板５３のベース部５３ａの上で座っても、４枚の固定板５４がベース板５３ａを受けることにより、ベース板５３ａの変形を抑制でき、堅牢な家具となる。なお、上記椅子５０を立てて置くことにより、物品棚として使用できる。また、上記椅子５０が不要であるときには、折曲板５３と固定板５４を分解して折曲板５３を平板状にすることにより、狭い隙間等に収納できる。
【００３５】
なお、上記第１〜第３の実施の形態では、発泡体により第１板状体を形成したが、一対のライナとこれらのライナの間に立設された複数のリブとを有するプラスチック段ボールにより第１板状体を形成してもよい。この場合、第１板状体を、一対のライナのうち一方のライナを残して角度９０度の一対のＶ字状溝で単一のベース部と一対の脚部とに区画し一対のＶ字状溝で折曲げることにより、折曲板を形成する。これにより、極めて簡単な作業で第１板状体から略チャンネル状の折曲板を形成できる。また、上記第１〜第３の実施の形態では、第１板状体の双方の面全体にシート状表面材を接着したが、第１板状体の両面のいずれか一方の面全体にシート状表面材を接着してもよい。この場合、上記シート状表面材を残して第１板状体を角度９０度の一対のＶ字状溝で単一のベース部と一対の脚部とに区画することにより、折曲板を形成する。また、上記第１の実施の形態では、５枚の第１板状体により５枚の折曲板を形成し、５枚の第２板状体により５枚の固定板を形成したが、２枚、３枚、４枚又は６枚以上の第１板状体により２枚、３枚、４枚又は６枚以上の折曲板を形成し、２枚、３枚、４枚又は６枚以上の第２板状体により２枚、３枚、４枚又は６枚以上の固定板を形成してもよい。更に、上記第３の実施の形態では、３枚の第１板状体により３枚の折曲板を形成し、４枚の第２板状体により４枚の固定板を形成したが、２枚又は４枚以上の第１板状体により２枚又は４枚以上の折曲板を形成し、２枚又は４枚以上の第２板状体により２枚又は４枚以上の固定板を形成してもよい。
【符号の説明】
【００３６】
１０  ベッド（組立式家具）
１１，３１，５１  第１板状体
１１ａ  一方のシート状表面材
１１ｂ  他方のシート状表面材
１１ｃ  Ｖ字状溝
１２，３２，５２  第２板状体
１３，３３，５３  折曲板
１３ａ，３３ａ，５３ａ  ベース部
１３ｂ，３３ｂ，５３ｂ  脚部
１３ｃ，３３ｃ  固定板係合用スリット
１４，３４，５４  固定板
１４ａ  脚部係合用幅狭スリット
１４ｂ  脚部係合用幅広スリット
３０  ヘッドボード（組立式家具）
３４ａ  脚部係合用スリット
５０  椅子（組立式家具）
【図１】
0003229918.tif 000003
【図２】
0003229918.tif 000004
【図３】
0003229918.tif 000005
【図４】
0003229918.tif 000006
【図５】
0003229918.tif 000007
【図６】
0003229918.tif 000008
【図７】
0003229918.tif 000009
【図８】
0003229918.tif 000010